(57)【要約】      （修正有）【課題】容器内の保護材と乾燥材を取り出さないで、単純な仕組みで余分な錠剤を出さず落とさず必要な数の錠剤を、目視しながら確実に取り出すことが出来る錠剤容器を提案することである。【解決手段】容器を傾けて錠剤を出すために、中板を透明性のある材料で形成し、中板に設ける開口部を縁板に接して設け、開口形状を錠剤及び丸薬の外形よりいくらか大きい似た形状にし、運搬時等に錠剤及び丸薬を保護する保護材を縁板に取り付け、保護材と縁板及び首との間に錠剤及び丸薬を通すスキマを形成し、スキマに続く保護材部分を薄くし、保護材の形状を広い底面から中板側になるほどに小さい断面形状にし、容器の肩と首が繋がる凸部を滑らかな曲面に形成し、開口部とスキマをズレた位置に配置した。【選択図】図０２
2016104633.tif 000002
【特許請求の範囲】
【請求項１】
外蓋（２）と中蓋（５）と保護材（１０）と容器（１４）からなる錠剤容器で、錠剤及び丸薬などを一錠ずつ出せる錠剤より僅かに大きい似た形状の開口部（７）を、中板（６）の円筒形状の縁板（９）の内面に接して設け、透明性のある前記中板を透して、錠剤及び丸薬などを目視しながら、下向きに傾けた前記容器の傾け加減と揺らし加減で錠剤及び丸薬などを取り出すことができる、錠剤容器。
【請求項２】
前記縁板に、運搬時等に錠剤及び丸薬などを保護する弾力性のある保護材（１０）を取り付けた、請求項１に記載の錠剤容器。
【請求項３】
前記容器を傾けて、前記容器から前記中蓋側に錠剤及び丸薬などを一錠ずつ出すために、前記保護材と、前記縁板の内面及び首（１５）の内面との間にスキマ（１２）を設けた、請求項１に記載の錠剤容器。
【請求項４】
前記保護材の前記スキマに続く部分を薄く形成し、容器の傾けにより集積が崩れた錠剤及び丸薬などの重みで前記中蓋側に撓み容器内に空隙が出来るようにし、容器の傾け加減と揺らし加減で錠剤及び丸薬などを動かせるようにした、請求項１に記載の錠剤容器。
【請求項５】
前記保護材を面積の大きい底面（１１）から前記中板側になるほど小さくなる断面形状にして、前記中板を透して前記縁板内部を目視できるようにした、請求項１に記載の錠剤容器。
【請求項６】
前記開口部と、前記開口部の下に位置する前記スキマとが、互いに上下でズレた位置にある、請求項１に記載の錠剤容器。
【発明の詳細な説明】
【技術分野】
【０００１】本発明は、錠剤や丸薬などを取り出す装置を設けた容器に関する。
【背景技術】
【０００２】錠剤や丸薬などを、取り出す装置を設けた容器が提案されている。
【先行技術文献】
【特許文献】
【０００３】
【特許文献１】特開２００９−２８６４９３号
【特許文献２】特開平９−３１５４５５号
【発明の概要】
【発明が解決しようとする課題】
【０００４】  錠剤や丸薬など（以下、錠剤と記載）を取り出す装置を設けた錠剤容器で、必用な数の錠剤を確実に取り出せるものがなく、余分に出てしまうこともある。余分に出てきたものは指でつまんで容器に戻しているし、床に落としたものは水洗いして服用しているので、衛生上問題がある。【０００５】  取り出し装置の仕組みが複雑で、仕組みどおりに動かしても、錠剤を受けとる部分が見えないので、出たかどうか蓋を開けてみなければ分からないし、入っていない場合は再度しなければならず、使用者に面倒を与えている。【０００６】  運送時等の錠剤保護のために、容器内に弾力のある保護材を入れて錠剤を軽く押さえて保護しているが、初めての使用時に錠剤を取り出すためには、邪魔なので使用者が取り除いている。【０００７】  取り出し装置のある錠剤容器では、保護材を入れていないものがある。【０００８】  さらに、乾燥材が入ってないものもある。【０００９】  そこで本発明の課題は、容器内に入れた保護材と乾燥材を取り出さずに、単純な仕組みで余分な錠剤を出さず落とさず必要な数の錠剤を、目視しながら確実に取り出すことができる錠剤容器を提案することである。
【課題を解決するための手段】
【００１０】  上記目的を達成するために、取り出し装置のない口を開けた容器を軽く下向きに傾けて粒物等を取り出すときの、容器の傾け加減と揺らし加減で容器内の粒物等を動かして取り出す方法を応用し、目視しながら作業して、錠剤を落とさず必要な数を容易に取り出せる錠剤容器を提案するために、以下に記載の手段を用いることにした。【００１１】  傾けた容器から錠剤を取り出すために、開口部を中板の中央でなく縁板に接した位置に設けた。【００１２】  錠剤を一錠ずつ出すために、開口部の形状を錠剤よりいくらか大きい似た形状にした。【００１３】  弾力のある保護材を縁板に取付け、運搬時等は錠剤を軽く押さえて保護できるようにし、錠剤を取り出す時は小さい角度であるが下向きに容器を傾けるので、錠剤が開口部のある中蓋側に連続して出てこないように、保護材と縁板の内面及び首の内面との間に錠剤が一錠ずつ通れる大きさのスキマを設け、一度に何錠も出ないようにした。【００１４】  錠剤を目視できるように、保護材を面積の大きい底面から中板側になるほど小さい断面形状にした。【００１５】  保護材のスキマに続く部分の厚さを薄くして、容器を傾けると錠剤の集積が崩れて保護材に寄り掛かり、薄い保護材部分が錠剤の重みを受けて中蓋側に撓み、容器内に空隙が出来て錠剤が動けるようになり、錠剤がスキマから出やすくなるようにした。【００１６】  容器の肩と首が繋がる凸部を滑らかな曲面に形成した。【００１７】  中板を内部の錠剤の動きが見えるほどに、透明性のある材料で形成した。【００１８】  円筒形状の縁板に接して設けられている上部の開口部と、縁板の内面及び同じ寸法の円筒形状の首の内面と保護材との間に設ける下部のスキマが、互いに上下でズレた位置になるように配置した。【００１９】  首の中に挿入される縁板の内面と首の内面とに段差を生じさせないために、首部分に縁板の厚さと同じ高さの段差を設けた。【００２０】  開口部の脇に錠剤用のストッパーを設けた。
【発明の効果】
【００２１】  取り出し装置のない口を開けて傾けただけの容器内の粒物等の取り出し方を応用しているので、使い方も分かりやすく、簡単に取り出せる。【００２２】  容器の下向き角度を大きくしないので、開口部周りが見えるし、保護材が邪魔にならないので、中板を透してスキマから出ようとしている錠剤も見えるし、縁板の内面に乗った錠剤も見えるし、中板に止められた錠剤も見えるので、容器の傾け加減と揺らし加減と回し加減で錠剤を出すことができる。【００２３】  初めて使用するときに、容器内の保護材を取り出さなくても使用できる。【００２４】  容器内部に入れる乾燥材を大きなものにすれば、容器を傾けても錠剤より僅かに大きいスキマでは外に出ないので、容器から出ていく錠剤の邪魔にならないし、中に入れたままにしても問題ない。【００２５】  開口部の位置と保護材のスキマの位置がズレているので、スキマから余分な数の錠剤が出ても、中板に止められて開口部から出ないので、中板を透して錠剤を目視しながら手首等を使って容器回し、必要な数の錠剤を開口部から取り出せる。中板に止められた錠剤の数が必要な数であれば、ストッパーを利用して錠剤を連続して出すこともできる。【００２６】  開口部とスキマの位置がズレているので、取り出す錠剤の数が複数の場合、中板を容器の首と共に大きなものにすれば、錠剤を必要な数まで中板に止めることが出来る。【００２７】  取り出し装置が中板と保護材だけで出来ているので、経済的に製造できる。
【図面の簡単な説明】
【００２８】
【図０１】錠剤容器の正立断面図
【図０２】錠剤容器の傾倒断面図
【図０３】中蓋上面図
【図０４】中蓋下面図
【図０５】中蓋ａ−ａ´断面図
【図０６】中蓋ｂ−ｂ´断面図
【図０７】丸薬用開口部の拡大上面図
【図０８】他の形状の保護材の断面図Ａ
【図０９】他の形状の保護材の断面図Ｂ
【図１０】錠剤形状のスキマの拡大上面図
【図１１】丸薬が入る形状のスキマの拡大上面図
【図１２】保護材のスキマ先端部の拡大断面図Ａ
【図１３】保護材のスキマ先端部の拡大断面図Ｂ
【図１４】保護材の別の取付け方断面図
【図１５】保護材の別の取付け方平面図
【発明を実施するための形態】
【００２９】  以下、本発明の実施の形態を図１〜図１５に基づいて説明する。
【実施例１】
【００３０】  本発明の錠剤容器１は２の外蓋と５の中蓋と１０の保護材と１４の容器から構成されている。【００３１】  外蓋２は円形の上板４と円筒形の側板３とで一体に形成され、側板３の内側にはメネジが、首１５の外側のオネジに噛合うように形成されている。【００３２】  中蓋５は円形の中板６と円筒形の縁板９とで一体に形成され、中板６には開口部７が縁板９に接して設けられている。縁板９の円筒部分は首１５の内径より、抜け防止のため僅かに大きく、弾力により挿入できるように形成されている。開口部７は、其々の錠剤の大きさと形状にいくらか大きい似た形状に形成されている。図０３は錠剤用の形状の開口部７で、図０７は丸薬用の形状の開口部７である。【００３３】  保護材１０は縁板９の円筒形の内部形状に合わせて形成され、縁板９に接合されている。保護材１０は広い底面１１から中板６側になるほど小さい断面形状に形成されている。なお、容器１４を傾けたときに、空隙があると錠剤が動きやすくなるので、保護材１０の底面１１を凹凸形状にしても良い。保護材の材料はスポンジ材が望ましい。【００３４】  縁板９に保護材１０を取り付ける方法は、縁板９の円筒形の内部形状に、合わせた形状の断面の保護材１０を挿入させ、接着剤などを利用して取り付けている方法を、図０１、図０２、図０５、図０６で表してあり、中板６と同じ向きで縁板９の円筒面から突き出る扇型の平板１９に、スリットを設けた保護材１０を、スリットの中に扇方の平板１９を挿入させて取り付ける方法を、図１４、図１５で表している。【００３５】  錠剤の形状や大きさや重さと保護材１０の弾力性能により、錠剤の重さを受けて撓む保護材１０の断面形状を変える必要があり、図０５と図０８と図９の断面形状の保護材１０がある。【００３６】  さらに、スキマ１２も錠剤の形状や大きさにより、形状を図４の半月形状にしても良いし、図１０のような錠剤に似た形状にしても良いし、図１１の丸薬に似た形状にしても良い。大きさは中蓋５の開口部７と同じように一錠ずつ出すために錠剤及び丸薬よりいくらか大きくすれば良い。【００３７】  また、スキマを作る保護材１０の先端部分の断面としては、図５及び図８の半円形と図１２の鋭角形と図１３の矩形がある。【００３８】  首１５部分には縁板９の内面と容器１４の内面との段差をなくすために段差１３が設けられ、中蓋５を挿入しても内面が滑らかになるように形成されている。首１５の外側には外蓋２のメネジに噛合うオネジが施されている。【００３９】  複数の錠剤を取り出す錠剤容器では、中板６に止める錠剤の数を増やすために中板６を首１５と共に大きく形成しても良い。【００４０】  ストッパーの大きさは、一錠を取り出す容器では、高さは錠剤より僅かに高ければ良いし幅も僅かに広ければ良い。複数の錠剤を取り出す容器では、高さは一錠と同じだが、幅は取り出す錠剤の数により、ストッパーに止める数を決め、その数に応じた幅にするが、保護材に当たらない範囲で広げる。断面は、ストッパーを乗り越えてしまった錠剤を容易に元に戻すために、台形の断面に形成している。
【符号の説明】
【００４１】  １    錠剤容器
２    外蓋
３    側板
４    上板
５    中蓋
６    中板
７    開口部
８    ストッパー
９    縁板
１０  保護材
１１  底面
１２  スキマ
１３  段差
１４  容器
１５  首
１６  肩
１７  胴
１８  保護材先端部
１９  扇型の平板
ａ    錠剤
ｂ    中板に止められた錠剤
ｃ    撓んだ保護材
ｄ    ズレた角度
ｅ    丸薬
【図０１】
2016104633.tif 000003
【図０２】
2016104633.tif 000004
【図０３】
2016104633.tif 000005
【図０４】
2016104633.tif 000006
【図０５】
2016104633.tif 000007
【図０６】
2016104633.tif 000008
【図０７】
2016104633.tif 000009
【図０８】
2016104633.tif 000010
【図０９】
2016104633.tif 000011
【図１０】
2016104633.tif 000012
【図１１】
2016104633.tif 000013
【図１２】
2016104633.tif 000014
【図１３】
2016104633.tif 000015
【図１４】
2016104633.tif 000016
【図１５】
2016104633.tif 000017